(57)【要約】【課題】ディスクの記録トラックに歪みが生じにくく、トラッキングエラーの発生の無いディスクアダプタを提供すること。【解決手段】ディスクアダプタは、リング状に形成されたアダプタ本体１と、アダプタ本体１の内周に形成され、ディスク２の一方の面を支持する第１の突起３０と、アダプタ本体１の内周に形成され、ディスク２の他方の面を支持する第２の突起４０と、アダプタ本体１の内周に形成され、ディスク２の外周に当接する押圧部２０と、押圧部２０に弾性力を持たせるヒンジ部１０とを備え、ディスク２をアダプタ本体１の内周側に保持し、押圧部２０に、ヒンジ部１０による弾性変形量よりも大きな弾性変形量を生じる弾性体を用いたことを特徴とする。【選択図】        図１
2007172710.tif 000002
【特許請求の範囲】
【請求項１】
リング状に形成されたアダプタ本体と、
前記アダプタ本体の内周に形成され、ディスクの一方の面を支持する第１の突起と、
前記アダプタ本体の内周に形成され、前記ディスクの他方の面を支持する第２の突起と、
前記アダプタ本体の内周に形成され、前記ディスクの外周に当接する押圧部と、
前記押圧部に弾性力を持たせるヒンジ部とを備え、前記ディスクを前記アダプタ本体の内周側に保持するディスクアダプタであって、
前記押圧部に、前記ヒンジ部による弾性変形量よりも大きな弾性変形量を生じる弾性体を用いたことを特徴とするディスクアダプタ。
【発明の詳細な説明】
【技術分野】
【０００１】
本発明は、ＣＤやＤＶＤなどのディスクを保持するディスクアダプタに関する。
【背景技術】
【０００２】
従来のディスクアダプタを図４から図６に示す（特許文献１）。
図４は同ディスクアダプタの平面図、図５は同ディスクアダプタの要部拡大平面図、図６は図５のＸ−Ｘ線断面図である。
図４に示すように、従来のディスクアダプタは、リング状に形成されたアダプタ本体１０１の内周に、３つのヒンジ部１１０が等間隔に形成され、それぞれのヒンジ部１１０には、一つの押圧部１２０が形成されている。なお、押圧部１２０には、ディスク１０２の一方の面を支持する表突起１３０が形成されている。また、これらヒンジ部１１０の間には、ディスク１０２の他方の面を支持する裏突起１４０が形成されている。
押圧部１２０は、図５及び図６に示すように、ディスク２の外周に当接し、ヒンジ部１１０による弾性力によってディスク１０２を中心方向に押圧している。
【特許文献１】意匠登録第８７３１６９号公報
【発明の開示】
【発明が解決しようとする課題】
【０００３】
しかし、上記従来のディスクアダプタでは、３つのヒンジ部１１０における弾性力が弱いと、ディスク１０２の回転時に、ディスクとディスクアダプタとの間でスリップが発生し、再生エラーや記録エラーを起こしてしまう。
そこで、ヒンジ部１１０における弾性力を大きくする必要があるが、弾性力を大きくすると押圧部１２０からの力によって、ディスク１０２には中心方向への三点の集中応力が発生し、ディスク１０２の記録トラックに歪みが生じ、トラッキングエラーが発生しやすくなる。
【０００４】
そこで本発明は、ディスクの記録トラックに歪みが生じにくく、トラッキングエラーの発生の無いディスクアダプタを提供することを目的とする。
【課題を解決するための手段】
【０００５】
請求項１記載の本発明のディスクアダプタは、リング状に形成されたアダプタ本体と、前記アダプタ本体の内周に形成され、ディスクの一方の面を支持する第１の突起と、前記アダプタ本体の内周に形成され、前記ディスクの他方の面を支持する第２の突起と、前記アダプタ本体の内周に形成され、前記ディスクの外周に当接する押圧部と、前記押圧部に弾性力を持たせるヒンジ部とを備え、前記ディスクを前記アダプタ本体の内周側に保持するディスクアダプタであって、前記押圧部に、前記ヒンジ部による弾性変形量よりも大きな弾性変形量を生じる弾性体を用いたことを特徴とする。
【発明の効果】
【０００６】
本発明によれば、一つのヒンジ部によって生じる弾性力を、弾性体によってディスクに与えるため、記録トラックの歪みを押さえるとともに、ディスクとの接触面積を多くすることで、ディスクのディスクアダプタに対するスリップを少なくすることができる。
【発明を実施するための最良の形態】
【０００７】
本発明の第１の実施の形態によるディスクアダプタは、押圧部に、ヒンジ部による弾性変形量よりも大きな弾性変形量を生じる弾性体を用いたものである。本実施の形態によれば、一つのヒンジ部によって生じる弾性力を、弾性体によってディスクに与えるため、一点集中応力を広範囲に分散することができるので、記録トラックの歪みを押さえるとともに、ディスクとの接触面積を多くすることでディスクアダプタのディスク保持力を高め、ディスクのディスクアダプタに対するスリップを少なくすることができる。
【実施例】
【０００８】
以下本発明の一実施例によるディスクアダプタについて説明する。
図１は本実施例によるディスクアダプタの平面図、図２は同ディスクアダプタの要部拡大平面図、図３は図２のＸ−Ｘ線断面図である。
図１に示すように、本実施例のディスクアダプタは、リング状に形成されたアダプタ本体１の内周に、３つのヒンジ部１０が等間隔に形成され、それぞれのヒンジ部１０には、ヒンジ部１０による弾性変形量よりも大きな弾性変形量を生じる弾性体によって押圧部２０が形成されている。なお、この押圧部２０には、ディスク２の一方の面を支持する表突起（第１の突起）３０が形成されている。また、これらヒンジ部１０の間には、ディスク２の他方の面を支持する裏突起（第２の突起）４０が形成されている。
ヒンジ部１０は、アダプタ本体１の内周から外周方向に向けて形成された一対の切り込み１１と、この一対の切り込み１１の間に形成された溝１２によって構成されている。従って、ヒンジ部１０は、それぞれの切り込み１１と溝１２の端部との間に形成される連接部１３によってアダプタ本体１と連接されることで、アダプタ本体１に対してヒンジ部１０が弾性変形可能な構成としている。ここで押圧部２０は、第１の突起３０よりも幅方向に長く、一対の切り込み１１間の寸法よりも短く構成されている。なお、押圧部２０は、一対の切り込み１１間の寸法の３分の１以下の長さが好ましい。
【０００９】
ここで、アダプタ本体１は、プラスチックにグラスファイバーを混合して固めたファイバー強化プラスチック（ＦＲＰ）が適している。グラスファイバーは無機ガラスを溶融、牽引して繊維状にしたものである。このように、アダプタ本体１は、プラスチック単体では得られない高強度、高靭性でかつ軽量な材料であり、ヒンジ部１０の構成によって弾性力を発生させている。これに対し、押圧部２０は、材料自体によって弾性体を構成するもので、例えばゴム材など圧縮率が大きく摩擦の大きな材料が適している。本実施例において、押圧部２０は、ヒンジ部１０の構造体を弾性体とみなしたときに、このヒンジ部１０による弾性変形量よりも大きな弾性変形量を生じる弾性体である。従って、アダプタ本体１にディスク２を取り付ける場合には、まず押圧部２０自体の弾性変形によってディスク２の外周部と密着し、ディスク２のアダプタ本体１への保持力は、ヒンジ部１０の弾性力によって発生させるものである。このようにヒンジ部１０の構造体よりも圧縮率の大きな弾性体によって押圧部２０を構成することで、ディスク２に加わるアダプタ本体１からの保持力を、押圧部２０によってディスク２の外周に広範囲に付加することができる。
【００１０】
アダプタ本体１に形成された３つのヒンジ部１０は全て同じ構成である。
第１の突起３０は、アダプタ本体１の内周に形成され、ディスク２の一方の面を支持する。また、第２の突起４０は、アダプタ本体１の内周に形成され、ディスク２の他方の面を支持する。
ヒンジ部１０の間には、それぞれ２つの第２の突起４０が形成されている。２つの第２の突起４０は、ヒンジ部１０の切り込み１１にそれぞれ隣接して設けている。
アダプタ本体１の内径は、押圧部２０を除いて、ディスク２の外径よりも大きな径で構成されている。
【００１１】
本実施例によれば、押圧部２０に、ヒンジ部１０による弾性変形量よりも大きな弾性変形量を生じる弾性体を用いているので、一つのヒンジ部１０によって生じる弾性力を、弾性体によって広範囲でディスク２に与えるため、一点集中応力を分散することができる。従って、ディスク２の記録トラックの歪みを押さえるとともに、ディスク２との接触面積を多くすることでアダプタ本体１のディスク保持力を高め、ディスク２のアダプタ本体１に対するスリップを少なくすることができる。
【産業上の利用可能性】
【００１２】
本発明のディスクアダプタは、特にスリムスロットタイプやハーフハイトドライブの垂直姿勢など、従来では再生不可能であったディスク装置において、８センチディスクの再生として利用できる。
【図面の簡単な説明】
【００１３】
【図１】本発明の一実施例によるディスクアダプタの平面図
【図２】同ディスクアダプタの要部拡大平面図
【図３】図２のＸ−Ｘ線断面図
【図４】従来のディスクアダプタの平面図
【図５】同ディスクアダプタの要部拡大平面図
【図６】図６のＸ−Ｘ線断面図
【符号の説明】
【００１４】
１    アダプタ本体
２    ディスク
１０    ヒンジ部
２０    押圧部
３０    第１の突起
４０    第２の突起
【図１】
2007172710.tif 000003
【図２】
2007172710.tif 000004
【図３】
2007172710.tif 000005
【図４】
2007172710.tif 000006
【図５】
2007172710.tif 000007
【図６】
2007172710.tif 000008